【手続補正書】
【提出日】平成16年4月9日(2004.4.9)
【手続補正１】
【補正対象書類名】明細書
【補正対象項目名】特許請求の範囲
【補正方法】変更
【補正の内容】
【特許請求の範囲】
【請求項１】
黒色画像データに基づき黒色インクを吐出する黒色用記録ヘッドと、カラー画像データに基づき前記黒色インクより記録媒体への浸透性に優れたカラーインクを吐出するカラー用記録ヘッドとを用い、前記記録媒体上における所定の記録領域に対し前記各記録ヘッドをそれぞれ複数回記録走査させることによって前記所定の記録領域に対する記録画像を完成させるカラーインクジェット記録装置において、
前記記録走査の各々において分割パターンを使用することにより、前記所定の記録領域に対応する黒色画像データを前記記録走査の各々に対して振り分け且つ前記所定の記録領域に対応するカラー画像データを前記記録走査の各々に振り分けるデータ分割手段を具え、
該データ分割手段は、同一記録走査において使用する前記黒色画像データ用の分割パターンと前記カラー画像データ用の分割パターンの振り分け率を異ならせることを特徴とするカラーインクジェット記録装置。
【請求項２】
前記データ分割手段は、前記黒色画像データ用の分割パターンおよび前記カラー画像用の分割パターンとして、それぞれ異なる振り分け率を有する分割パターンを使用することを特徴とする請求項１に記載のカラーインクジェット記録装置。
【請求項３】
前記黒色画像データ用の分割パターンにおける振り分け率を前記記録走査の各々において設定する黒色画像データ振り分け率設定手段と、
前記カラー画像データ用の分割パターンにおける振り分け率を前記記録走査の各々において設定するカラー画像データ振り分け率設定手段とをさらに具え、
前記両画像データ振り分け率設定手段は、前記同一記録走査で使用される前記黒色画像データ用分割パターンと前記カラー画像データ用分割パターンの振り分け率を互いに異なる値に設定することを特徴とする請求項１または２に記載のカラーインクジェット記録装置。
【請求項４】
前記黒色画像データ振り分け率設定手段が所定の基準振り分け率より高い振り分け率を設定する場合、カラー画像データ振り分け率設定手段は前記基準振り分け率より低い振り分け率を設定し、黒色画像データ振り分け率設定手段が所定の基準振り分け率より低い振り分け率を設定する場合、カラー画像データ振り分け率設定手段は所定の基準振り分け率より高い振り分け率を設定することを特徴とする請求項３に記載のカラーインクジェット記録装置。
【請求項５】
前記基準振り分け率は、前記所定の記録領域に対する複数の記録走査回数をＮとするとき、１００／Ｎ％であることを特徴とする請求項４に記載のカラーインクジェット記録装置。
【請求項６】
前記所定領域に対して黒色画像を形成する際、黒色インクを記録媒体へ打ち込む前あるいは後に、黒色インクの打ち込み箇所に対し前記複数のカラーインクの少なくとも１色のインクを打ち込むことを特徴とする請求項１ないし５のいずれかに記載のカラーインクジェット記録装置。
【請求項７】
前記黒色画像データを所定の間引き率で間引き、そして間引いた部分に対し、複数色のカラーインクを打ち込む間引き手段をさらに具えることを特徴とする請求項１ないし５のいずれかに記載のカラーインクジェット記録装置。
【請求項８】
前記複数色のカラーインクのうち少なくとも１色が、前記黒色インクと接触することにより黒色インクを凝固もしくは凝集する性質をもつ反応性インクであることを特徴とする請求項１ないし７のいずれかに記載のカラーインクジェット記録装置。
【請求項９】
前記各記録ヘッドは、往復走査のうち片方向への走査においてのみ記録を行い、当該記録がなされる走査方向において前記カラー用記録ヘッドは前記黒色用記録ヘッドより先方に配置されることを特徴とする請求項１ないし８のいずれかに記載のカラーインクジェット記録装置。
【請求項１０】
前記各記録ヘッドは、往復走査の両方向において記録を行う場合、最初の記録走査では、前記カラー画像データの振り分け率が前記黒色画像データ振り分け率よりも高いことを特徴とする請求項１に記載のカラーインクジェット記録装置。
【請求項１１】
前記複数色のカラーインクは、シアン、マゼンタ、イエローの３色であることを特徴とする請求項１ないし１０のいずれかに記載のカラーインクジェット記録装置。
【請求項１２】
黒色画像データに基づき黒色インクを吐出する黒色用記録ヘッドと、カラー画像データに基づき前記黒色インクより記録媒体への浸透性に優れたカラーインクを吐出するカラー用記録ヘッドとを用い、前記記録媒体上における所定の記録領域に対し前記各記録ヘッドをそれぞれ複数回記録走査させることによって前記所定の記録領域に対する記録画像を完成させるカラーインクジェット記録方法において、
前記記録走査の各々において分割パターンを使用することにより、前記所定の記録領域に対応する黒色画像データを前記記録走査の各々に対して振り分け且つ前記所定の記録領域に対応するカラー画像データを前記記録走査の各々に振り分けるデータ分割ステップと、
前記分割ステップにおいて記録走査の各々に対し振り分けられたデータに基づき、前記記録走査の各々において前記黒色用記録ヘッドおよび前記カラー用記録ヘッドからそれぞれ前記黒色インクおよび前記カラーインクを吐出する吐出ステップとを具え、
前記データ分割ステップでは、同一記録走査において使用する前記黒色画像データ用の分割パターンと前記カラー画像データ用の分割パターンの振り分け率を異ならせることを特徴とするカラーインクジェット記録方法。
【請求項１３】
黒色画像データに基づき黒色インクを吐出する黒色用記録ヘッドと、カラー画像データに基づき前記黒色インクより記録媒体への浸透性に優れたカラーインクを吐出するカラー用記録ヘッドとを用い、前記記録媒体上における所定の記録領域に対し前記各記録ヘッドをそれぞれ複数回記録走査させることによって前記所定の記録領域に対する記録画像を完成させるカラーインクジェット記録装置において使用される画像データを処理する方法において、
前記記録走査の各々において分割パターンを用いることにより、前記所定の記録領域に対応する黒色画像データを前記記録走査の各々に対して振り分け且つ前記所定の記録領域に対応するカラー画像データを前記記録走査の各々に振り分けるデータ分割ステップを具え、
前記データ分割ステップでは、同一記録走査において使用する分割パターンとして、前記黒色画像データと前記カラー画像データとで互いに振り分け率の異なる分割パターンを使用することを特徴とする画像データ処理方法。
【請求項１４】
黒色画像データに基づき黒色インクを吐出する黒色用記録ヘッドと、カラー画像データに基づき前記黒色インクより記録媒体への浸透性に優れたカラーインクを吐出するカラー用記録ヘッドとを用い、前記記録媒体上における所定の記録領域に対し前記各記録ヘッドをそれぞれ複数回記録走査させることによって前記所定の記録領域に対する記録画像を完成させるカラーインクジェット記録装置において使用される画像データの画像処理を実行するためのプログラムにおいて、
記録領域に対応する黒色画像データを前記記録走査の各々に対して振り分け且つ前記所定の記録領域に対応するカラー画像データを前記記録走査の各々に振り分けるデータ分割ステップを具え、
前記データ分割ステップでは、同一記録走査において使用する分割パターンとして、前記黒色画像データと前記カラー画像データとで互いに振り分け率の異なる分割パターンを使用することを特徴とする画像データの画像処理を実行するためのプログラム。
【請求項１５】
請求項１４に記載のプログラムを格納した、コンピュータで読み取り可能な記憶媒体。